【事件の表示】
　特願２０１４−２０６９３３「画素回路、その駆動方法及び表示装置」拒絶査定不服審判事件〔平成２８年５月１２日出願公開、特開２０１６−７５８３６〕について、次のとおり審決する。
【結　論】
　本件審判の請求は、成り立たない。
【理　由】
第１　手続の経緯
　この審判事件に関する出願（以下、「本願」という。）は、平成２６年１０月８日にされた特許出願である。
　そして、平成２７年８月３１日に明細書及び図面についての補正がされ、平成２９年９月７日に明細書及び特許請求の範囲についての補正がされ、平成３０年７月１９日に明細書及び特許請求の範囲についての補正がされた。さらに、平成３１年２月１８日に明細書及び特許請求の範囲についての補正がされたが、この補正は、同年４月９日付けの決定をもって却下され、同日付けで拒絶査定（以下、「原査定」という。）がされ、同１６日に査定の謄本が送達された。
　これに対して、令和元年７月９日に拒絶査定不服審判（本件審判）が請求され、同時に明細書及び特許請求の範囲についての補正（以下、「本件補正」という。）がされた。そして、令和２年１月１６日に上申書が提出された。
第２　補正の却下の決定
［補正の却下の決定の結論］
　本件補正を却下する。
［補正の却下の決定の理由］
　以下に述べるとおり、本件補正は特許法第１７条の２第５項第２号の特許請求の範囲の減縮を目的とするものに該当するが、本件補正後の請求項１に係る発明は特許出願の際独立して特許を受けることができない。すなわち、本件補正後の特許請求の範囲の請求項１に係る発明は明確でないから、本願は本件補正後の特許請求の範囲の記載が同法第３６条第６項第２号に規定する要件を満たしていない。
　したがって、本件補正は、同法第１７条の２第６項において準用する同法第１２６条第７項の規定に違反するものであるから、同法第１５９条第１項において読み替えて準用する同法第５３条第１項の規定により却下するべきものである。
１　本件補正の内容
　本件補正は、特許請求の範囲の請求項１についての補正を含む。
　本件補正前（平成３０年７月１９日にされた補正の後をいう。以下同じ。）及び本件補正後の特許請求の範囲の請求項１の記載は、以下のとおりである。下線は、補正箇所を示すために当合議体が付した。
（１）本件補正前
「【請求項１】
　発光素子と、
　印加された電圧に応じた電流を前記発光素子へ供給する駆動トランジスタと、
　前記駆動トランジスタの閾値電圧及びデータ電圧を含む電圧を保持し、前記閾値電圧及び前記データ電圧を含むこの電圧を前記駆動トランジスタに印加するコンデンサ部と、
　前記閾値電圧及び前記データ電圧を含む電圧を前記コンデンサ部に保持させるスイッチ部と、
　を備えた画素回路において、
　前記スイッチ部は、前記駆動トランジスタから供給される電流を、前記発光素子を通さずに基準電圧電源線へ迂回させる電流迂回用トランジスタを有し、前記閾値電圧及び前記データ電圧を含む電圧を前記コンデンサ部に保持させる前に、一定時間前記電流迂回用トランジスタを線形領域で動作させ、前記駆動トランジスタをオンにし、前記駆動トランジスタから流れる電流を前記電流迂回用トランジスタを介して前記基準電圧電源線へ迂回させる、
　ことを特徴とする画素回路。」
（２）本件補正後
「【請求項１】
　発光素子と、
　印加された電圧に応じた電流を前記発光素子へ供給する駆動トランジスタと、
　前記駆動トランジスタの閾値電圧及びデータ電圧を含む電圧を保持し、前記閾値電圧及び前記データ電圧を含むこの電圧を前記駆動トランジスタに印加するコンデンサ部と、
　前記閾値電圧及び前記データ電圧を含む電圧を前記コンデンサ部に保持させるスイッチ部と、
　を備えた画素回路において、
　
前記駆動トランジスタは、ゲート端子、ソース端子及びドレイン端子を有し、
　前記スイッチ部は、前記駆動トランジスタから供給される電流を、前記発光素子を通さずに基準電圧電源線へ迂回させる電流迂回用トランジスタを有し、前記閾値電圧及び前記データ電圧を含む電圧を前記コンデンサ部に保持させる前に、
前記発光素子と前記駆動トランジスタとの間に接続されたトランジスタをオフにすることにより前記駆動トランジスタから前記発光素子へ供給される白表示レベルの電流を遮断するとともに
前記白表示レベルの
、
　
前記駆動トランジスタの前記ドレイン端子に流れる前記白表示レベルの電流の値は、次式で与えられる値であって、
　
１／２β（（ＶＢ−ＶＡ）−Ｖｔｈ）２…（式）
　
前記式のＶＡは、前記駆動トランジスタの前記ゲート端子の電圧であり、
　
前記式のＶＢは、前記駆動トランジスタの前記ソース端子の電圧であり、
　
前記式のＶｔｈは、前記駆動トランジスタの閾値電圧であり、
　
前記式のβは、前記駆動トランジスタの構造及び材質によって決まる定数である、
　ことを特徴とする画素回路。」
２　本件補正の目的
　本件補正のうち、請求項１についての補正は、第１に、「駆動トランジスタ」が「ゲート端子、ソース端子及びドレイン端子を有」する旨の限定を付加するものであり、第２に、「スイッチ部」が「一定時間前記電流迂回用トランジスタを線形領域で動作させ、前記駆動トランジスタをオンにし、前記駆動トランジスタから流れる電流を前記電流迂回用トランジスタを介して前記基準電圧電源線へ迂回させ」る際の「電流」が「白表示レベルの電流」であって、その値が本件補正後の請求項１に記載される式で与えられる旨の限定を付加するものであり、第３に、「スイッチ部」が「一定時間前記電流迂回用トランジスタを線形領域で動作させ、前記駆動トランジスタをオンにし、前記駆動トランジスタから流れる電流を前記電流迂回用トランジスタを介して前記基準電圧電源線へ迂回させ」る際に「前記発光素子と前記駆動トランジスタとの間に接続されたトランジスタをオフにすることにより前記駆動トランジスタから前記発光素子へ供給される白表示レベルの電流を遮断する」旨の限定を付加するものである。そして、本件補正前の請求項１に記載された発明と本件補正後の請求項１に記載される発明とは、産業上の利用分野及び解決しようとする課題が同一であると認められる。
　したがって、本件補正のうち、請求項１についての補正は、特許法第１７条の２第５項第２号の特許請求の範囲の減縮を目的とするものに該当する。
　そこで、本件補正後の請求項１に係る発明が特許出願の際独立して特許を受けることができるものであるか（本件補正がいわゆる独立特許要件を満たすか）否かについて検討する。
３　独立特許要件についての判断
（１）当合議体の判断
　本件補正後の請求項１に記載された「白表示レベルの電流」は、「白表示レベル」という文言の意味が曖昧であるから、どのような電流なのかを「白表示レベルの電流」という文言自体から理解することはできない。
　そこで、これ以外の記載を参照すると、本件補正後の請求項１には、「白表示レベルの電流」の値が本件補正後の請求項１に記載される式で与えられる旨の記載がある。しかし、この式は、駆動トランジスタのゲート端子の電圧ＶＡ及びソース端子の電圧ＶＢが特定されていないから、駆動トランジスタのドレイン端子に流れる電流と駆動トランジスタのゲート端子及びソース端子の電圧並びに閾値電圧との関係を表す一般式にすぎず、これによって「白表示レベルの電流」がどのような電流なのかを実質的に特定することはできない。
　したがって、本件補正後の請求項１の記載自体からは、「白表示レベルの電流」がどのような電流なのかを理解することができない。
　そこで、発明の詳細な説明の記載を参照すると、「白表示レベルの電流」について、本件補正後の明細書には次の記載がある。
「【００５９】
　このとき、このとき、ノードＡの電圧ＶＡは第５トランジスタＭ５を介して第３電源電圧Ｖｒｅｆとなり、ノードＢの電圧ＶＢは第２トランジスタＭ２を介して第１電源電圧ＶＤＤとなる。つまり、ノードＡの電圧ＶＡ及びノードＢの電圧ＶＢは次式のようになり、第１及び第２コンデンサ２１，２２に保持された電圧が初期化される。
　　ＶＡ＝Ｖｒｅｆ
　　ＶＢ＝ＶＤＤ
　【００６０】
　一方、第３トランジスタＭ３及び第６トランジスタＭ６がオンになることにより、第３トランジスタＭ３に電流ｉ１が流れ、その電流ｉ１が第６トランジスタＭ６を介して発光素子１１へ流れずに第３電源線Ｐ３へ流れる。
　【００６１】
　このとき、第３トランジスタＭ３のゲート端子とソース端子との間に印加される電圧はＶＢ−ＶＡであるから、そのドレイン端子に流れる電流ｉ１は次式で与えられる。
　　ｉ１＝１／２β（（ＶＢ−ＶＡ）−Ｖｔｈ）２
　　　　＝１／２β（ＶＤＤ−Ｖｒｅｆ−Ｖｔｈ）２
　【００６２】
　上式からわかるように、電流ｉ１は白表示レベル程度の十分に大きな値であるので、第３トランジスタＭ３のヒステリシス特性の初期化が防止される。これが、画素回路１０のイメージリテンション防止機能である。なお、上式中のβは、第３トランジスタＭ３の構造及び材質によって決まる定数である。」
　この記載は、駆動トランジスタである「第３トランジスタＭ３」のゲート端子及びソース端子にそれぞれ「第３電源電圧Ｖｒｅｆ」及び「第１電源電圧ＶＤＤ」を印加する（つまり、「ＶＡ＝Ｖｒｅｆ」及び「ＶＢ＝ＶＤＤ」とする）と、そのドレイン端子に流れる「電流ｉ１」が「白表示レベル程度の十分に大きな値」になるという趣旨である。
　しかし、「ＶＡ＝Ｖｒｅｆ」及び「ＶＢ＝ＶＤＤ」であること、すなわち、駆動トランジスタのゲート端子の電圧ＶＡ及びソース端子の電圧ＶＢがそれぞれ「第３電源電圧Ｖｒｅｆ」（本件補正後の請求項１に記載された「基準電圧電源線」の電圧）及び「第１電源電圧ＶＤＤ」であることは、本件補正後の請求項１に記載されていない。したがって、本件補正後の請求項１に記載された「白表示レベルの電流」は、駆動トランジスタのゲート端子及びソース端子にそれぞれ「第３電源電圧Ｖｒｅｆ」及び「第１電源電圧ＶＤＤ」を印加したときにそのドレイン端子に流れる「電流ｉ１」に特定されているということはできない。
　また、「第３トランジスタＭ３」のドレイン端子に流れる「電流ｉ１」の値は、そのゲート端子及びソース端子に印加される電圧（すなわち、「第３電源電圧Ｖｒｅｆ」及び「第１電源電圧ＶＤＤ」）の値に依存するにもかかわらず、「第３電源電圧Ｖｒｅｆ」及び「第１電源電圧ＶＤＤ」の値は特定されていない。そうすると、「電流ｉ１」の値である「白表示レベル程度の十分に大きな値」も特定されていないことになる。
　したがって、発明の詳細な説明の記載を参酌しても、「白表示レベルの電流」がどのような電流なのかを理解することができない。
（２）請求人の主張について
　請求人は、上申書で、「白表示レベル」とは黒表示レベルの反対であり、発光素子の輝度が高いため発光素子が白く見える状態を指すと主張し、このことは本願の図面の図１Ｂ等のＶｄａｔａにおけるＷｈｉｔｅ、Ｂｌａｃｋや図９ＢのＶｄａｔａにおける白電位、黒電位などから明らかであると主張する。
　請求人は、「白表示レベル」とは駆動トランジスタのゲート端子に印加される電圧Ｖｄａｔａが「白」に対応する特定の値になった状態を指すと主張するものと解される。
　しかし、本件補正後の請求項１に記載された式では、駆動トランジスタのゲート端子の電圧ＶＡは何ら特定されていない。
　そうすると、請求人の主張は、本件補正後の請求項１の記載に基づくものでないから、採用することができない。
（３）独立特許要件についての判断のまとめ
　本件補正後の請求項１に記載される「白表示レベルの電流」がどのような値の電流なのかを理解することができないから、本件補正後の請求項１に係る発明は明確でない。すなわち、本願は、本件補正後の特許請求の範囲の記載が同法第３６条第６項第２号に規定する要件を満たしていない。
　したがって、本件補正後の請求項１に係る発明は、特許出願の際独立して特許を受けることができない。
４　補正の却下の決定のむすび
　以上のとおりであるから、本件補正は、特許法第１７条の２第６項において準用する同法第１２６条第７項の規定に違反するものである。
　したがって、本件補正は、同法第１５９条第１項において読み替えて準用する同法第５３条第１項の規定により却下するべきものである。
　よって、補正の却下の決定の結論のとおり決定する。
第３　本願に係る発明についての判断
１　本願に係る発明
　前記第２のとおり、本件補正は却下されたので、本願の請求項１ないし請求項１８に係る発明は、本願の本件補正前の特許請求の範囲の請求項１ないし請求項１８に記載された事項により特定されるとおりのものである。
　その中でも、本願の請求項１に係る発明（以下、「本願発明」という。）は、前記第２の１（１）のとおりのものである。
２　原査定の理由の概要
　本願発明は、引用文献１ないし引用文献４に記載された発明と引用文献５ないし引用文献９に記載された周知技術とに基づいて、当業者が容易に発明をすることができたものであるから、特許法第２９条第２項の規定より特許を受けることができない。
　　引用文献１：米国特許出願公開第２０１３／００４３８０２号明細書
　　引用文献２：特開２０１２−１４１３６号公報
　　引用文献３：特開２００４−１９１３８８号公報
　　引用文献４：特開２００８−２０３６５９号公報
　　引用文献５：特開２００４−１３３２４０号公報
　　引用文献６：特開２００７−５２４２２号公報
　　引用文献７：特開２００６−７１６８６号公報
　　引用文献８：特開２００８−１７６２８７号公報
　　引用文献９：中国特許出願公開第１０３４４０８４３号明細書
３　引用文献に記載された発明等
（１）引用文献２
ア　引用文献２の記載
　引用文献２には、以下の記載がある。下線は、当合議体が付した。
「【００３４】
　
図２は、
有機電界発光表示装置の画素を示した回路図である。
　【００３５】
　図２を参照すれば、本発明の実施形態に係る
有機電界発光表示装置の画素は、第１電源ＥＬＶＤＤと第２電源ＥＬＶＳＳとの間に接続された有機発光ダイオードＯＬＥＤと、第１電源ＥＬＶＤＤと有機発光ダイオードＯＬＥＤとの間に接続された第１トランジスタＴ１と、第１トランジスタＴ１の第１電極とデータ線Ｄｍとの間に接続された第２トランジスタＴ２と、第１トランジスタＴ１の第２電極とゲート電極との間に接続される第３トランジスタＴ３と、第１トランジスタＴ１の第２電極と有機発光ダイオードＯＬＥＤとの間に接続された第４トランジスタＴ４と、第１トランジスタＴ１のゲート電極が接続される第１ノードＮ１と
初期化電源である第３電源ＶＩＮＴとの間に接続される第５トランジスタＴ５と、第４トランジスタＴ４と
第３電源ＶＩＮＴとの間に接続される第６トランジスタＴ６と、第１電源ＥＬＶＤＤと第１トランジスタＴ１の第１電極との間に接続される第７トランジスタＴ７と、第１電源ＥＬＶＤＤと第１ノードＮ１との間に接続されるストレージキャパシタＣＳＴと、を含む。
「【００３７】
　このような
第１トランジスタＴ１は、第１ノードＮ１の電圧に対応して有機発光ダイオードＯＬＥＤに供給される駆動電流を制御することで、画素の駆動トランジスタとして機能する。
「【００５１】
　言い換えれば、第４トランジスタＴ４及び第７トランジスタＴ７がターンオフされるハイ電圧の発光制御信号は、以前走査信号が供給される期間中に供給が開始されて現在走査信号の供給の完了するまでに供給が維持される。このような図３の駆動信号によって駆動される画素の動作過程は、図４Ａないし図４Ｄを参照して詳しく説明する。
図４Ａないし図４Ｄは、
図２の画素の駆動方法を順次示した回路図及び波形図である。
　【００５２】
　図４Ａを参照すれば、以前走査線Ｓｎ−１に以前走査信号が供給される初期化期間（ｔ１、ｔ２）中、
第１期間ｔ１の間、
第５トランジスタＴ５及び第６トランジスタＴ６がターンオンされる。
　【００５３】
　（省略）
　【００５４】
　（省略）
　【００５５】
　このように第２電源ＥＬＶＳＳまたは第３電源ＶＩＮＴの電圧は、低い電圧に設定されることで、以前走査線Ｓｎ−１に以前走査信号が供給される初期化期間（Ｔ１ないしＴ２）の間、第１トランジスタＴ１をもターンオンされる。一方、発光制御線Ｅｎにロー電圧の発光制御信号が供給されれば、
第４トランジスタＴ４及び第７トランジスタＴ７がターンオンされる。
　【００５６】
　したがって、
第１期間ｔ１の間、第１ノードＮ１に
第３電源ＶＩＮＴの初期化電圧が印加されるとともに、第１電源ＥＬＶＤＤから、第７トランジスタＴ７、第１トランジスタＴ１、第４トランジスタＴ４及び第６トランジスタＴ６を経由して
第３電源ＶＩＮＴへの電流パスが形成される。
　【００５７】
　これによって、第１トランジスタＴ１の第１電極及び第２電極とゲート電極それぞれに所定のバイアス電圧が印加されながら第１トランジスタＴ１に電流が流れるようになる。これにより、第１トランジスタＴ１のヒステリシスが補償されるのは勿論、前記
電流が第４トランジスタＴ４から第６トランジスタＴ６側に迂回されて流れるようにすることで、有機発光ダイオードＯＬＥＤが発光することを防止して
　【００５８】
　その後、図４Ｂに示されたように、初期化期間（ｔ１、ｔ２）のうち、第１期間ｔ１に後続する
第２期間ｔ２の間、
　【００５９】
　発光制御線Ｅｎにハイ電圧の発光制御信号が供給されれば、
第４トランジスタＴ４及び第７トランジスタＴ７がターンオフされ
第５トランジスタＴ５はターンオン状態を維持し、
第１ノードＮ１は
第３電源ＶＩＮＴの電圧に安定的に初期化される。
　【００６０】
　その後、図４Ｃに示されたように、
第３期間ｔ３の間、
第２トランジスタＴ２及び第３トランジスタＴ３がターンオンされ、
データ線Ｄｍにはデータ信号が供給され、
第１ノードＮ１にはデータ信号と第１トランジスタＴ１のしきい値電圧の差電圧が伝達される。
　【００６１】
　すなわち、第３期間Ｔ３は、第１ノードＮ１にデータ信号より第１トランジスタＴ１のしきい値電圧分低い電圧に相応する電圧を印加する、データプログラミング及びしきい値電圧の補償期間であり、このような第３期間ｔ３に
第１ノードＮ１に伝達された電圧はストレージキャパシタＣＳＴに格納される。
　【００６２】
　現在走査線Ｓｎへの現在走査信号の供給が完了した後、図４Ｄに図示されるように、
第４期間ｔ４の間、
第４トランジスタＴ４及び第７トランジスタＴ７がターンオンされて、第１電源ＥＬＶＤＤから第７トランジスタＴ７、第１トランジスタＴ１、第４トランジスタＴ４、及び有機発光ダイオードＯＬＥＤを経由して第２電源ＥＬＶＳＳに駆動電流が流れる
　【００６３】
　この時、駆動電流は第１ノードＮ１の電圧に対応して第１トランジスタＴ１によって制御されるもので、先立った第３期間ｔ３の間、第１ノードＮ１にはデータ信号の電圧とともに第１トランジスタＴ１のしきい値電圧に相応する電圧が格納されたので、第４期間ｔ４の間には第１トランジスタＴ１のしきい値電圧が相殺されて第１トランジスタＴ１のしきい値電圧偏差に依存せず、データ信号に対応する駆動電流が流れるようになる。すなわち、第４期間ｔ４は画素の発光期間であり、第４期間Ｔ４の間
有機発光ダイオードＯＬＥＤはデータ信号に対応する輝度に発光する。
「【図２】
　　　　　　　　　　　　　　　　　　　　　　　　　　　　　　　　　」
「【図４Ａ】
　　　　　　　　　　　　　　　　　　　　　　　　　　　　　　　　　」
「【図４Ｂ】
　　　　　　　　　　　　　　　　　　　　　　　　　　　　　　　　　」
「【図４Ｃ】
　　　　　　　　　　　　　　　　　　　　　　　　　　　　　　　　　」
「【図４Ｄ】
　　　　　　　　　　　　　　　　　　　　　　　　　　　　　　　　　」
イ　引用文献２に記載された発明
　引用文献２の前記アの記載（特に下線を付した部分）によれば、引用文献２には、次の発明（以下、「引用発明」という。）が記載されている。
「第１電源ＥＬＶＤＤと第２電源ＥＬＶＳＳとの間に接続された有機発光ダイオードＯＬＥＤと、
　第１電源ＥＬＶＤＤと有機発光ダイオードＯＬＥＤとの間に接続された第１トランジスタＴ１と、
　第１トランジスタＴ１の第１電極とデータ線Ｄｍとの間に接続された第２トランジスタＴ２と、
　第１トランジスタＴ１の第２電極とゲート電極との間に接続される第３トランジスタＴ３と、
　第１トランジスタＴ１の第２電極と有機発光ダイオードＯＬＥＤとの間に接続された第４トランジスタＴ４と、
　第１トランジスタＴ１のゲート電極が接続される第１ノードＮ１と初期化電源である第３電源ＶＩＮＴとの間に接続される第５トランジスタＴ５と、
　第４トランジスタＴ４と第３電源ＶＩＮＴとの間に接続される第６トランジスタＴ６と、
　第１電源ＥＬＶＤＤと第１トランジスタＴ１の第１電極との間に接続される第７トランジスタＴ７と、
　第１電源ＥＬＶＤＤと第１ノードＮ１との間に接続されるストレージキャパシタＣＳＴと、
　を含む有機電界発光表示装置の画素であって、
　第１トランジスタＴ１は、第１ノードＮ１の電圧に対応して有機発光ダイオードＯＬＥＤに供給される駆動電流を制御する駆動トランジスタとして機能し、
　第１期間ｔ１の間、第５トランジスタＴ５及び第６トランジスタＴ６がターンオンされ、第４トランジスタＴ４及び第７トランジスタＴ７がターンオンされ、第１ノードＮ１に第３電源ＶＩＮＴの初期化電圧が印加されるとともに、第１電源ＥＬＶＤＤから、第７トランジスタＴ７、第１トランジスタＴ１、第４トランジスタＴ４及び第６トランジスタＴ６を経由して第３電源ＶＩＮＴへの電流パスが形成され、電流が第４トランジスタＴ４から第６トランジスタＴ６側に迂回されて流れるようにすることで、有機発光ダイオードＯＬＥＤが発光することを防止し、
　第２期間ｔ２の間、第４トランジスタＴ４及び第７トランジスタＴ７がターンオフされ、第５トランジスタＴ５はターンオン状態を維持し、第１ノードＮ１は第３電源ＶＩＮＴの電圧に安定的に初期化され、
　第３期間ｔ３の間、第２トランジスタＴ２及び第３トランジスタＴ３がターンオンされ、データ線Ｄｍにはデータ信号が供給され、第１ノードＮ１にはデータ信号と第１トランジスタＴ１のしきい値電圧の差電圧が伝達され、第１ノードＮ１に伝達された電圧はストレージキャパシタＣＳＴに格納され、
　第４期間ｔ４の間、第４トランジスタＴ４及び第７トランジスタＴ７がターンオンされて、第１電源ＥＬＶＤＤから第７トランジスタＴ７、第１トランジスタＴ１、第４トランジスタＴ４、及び有機発光ダイオードＯＬＥＤを経由して第２電源ＥＬＶＳＳに駆動電流が流れ、有機発光ダイオードＯＬＥＤはデータ信号に対応する輝度に発光する、
　有機電界発光表示装置の画素。」
（２）引用文献７
　引用文献７には、以下の記載がある。下線は、当合議体が付した。
「【００３９】
　また、図３に示した実施の形態においては、各表示用画素１０ａを構成する
ＴＦＴによる発光駆動用トランジスタＴｒ２は、飽和領域で動作させることで定電流特性を持たせるように説明しているが、この発光駆動用トランジスタＴｒ２は、線形領域で動作させることで定電圧動作（スイッチング動作）を行なわせることもできる。
４　対比
　本願発明と引用発明とを対比すると、以下のとおりである。
（１）引用発明の「第１電源ＥＬＶＤＤと第２電源ＥＬＶＳＳとの間に接続された有機発光ダイオードＯＬＥＤ」は、本願発明の「発光素子」に相当する。
（２）引用発明の「第１電源ＥＬＶＤＤと有機発光ダイオードＯＬＥＤとの間に接続された第１トランジスタＴ１」は、「第１ノードＮ１の電圧に対応して有機発光ダイオードＯＬＥＤに供給される駆動電流を制御する駆動トランジスタとして機能」するから、本願発明の「印加された電圧に応じた電流を前記発光素子へ供給する駆動トランジスタ」に相当する。
（３）引用発明の「データ信号」、「第１トランジスタＴ１のしきい値電圧」及び「データ信号と第１トランジスタＴ１のしきい値電圧の差電圧」は、それぞれ本願発明の「データ電圧」、「駆動トランジスタの閾値電圧」及び「前記閾値電圧及び前記データ電圧を含む電圧」に相当する。
（４）引用発明の「第１電源ＥＬＶＤＤと第１ノードＮ１との間に接続されるストレージキャパシタＣＳＴ」は、「第１ノードＮ１に伝達された」「データ信号と第１トランジスタＴ１のしきい値電圧の差電圧」が「格納され」る。そして、「第１ノードＮ１に伝達された」「データ信号と第１トランジスタＴ１のしきい値電圧の差電圧」は、「第１ノードＮ１の電圧」にほかならないから、引用発明の「第１トランジスタＴ１」は、「データ信号と第１トランジスタＴ１のしきい値電圧の差電圧」に「対応して有機発光ダイオードＯＬＥＤに供給される駆動電流を制御する駆動トランジスタとして機能」することになる。これは、「ストレージキャパシタＣＳＴ」に「格納され」た「データ信号と第１トランジスタＴ１のしきい値電圧の差電圧」が「第１トランジスタＴ１」に印加されることを意味する。
　すなわち、引用発明の「第１電源ＥＬＶＤＤと第１ノードＮ１との間に接続されるストレージキャパシタＣＳＴ」は、「第１ノードＮ１に伝達された」「データ信号と第１トランジスタＴ１のしきい値電圧の差電圧」を「格納」し、これを「有機発光ダイオードＯＬＥＤに供給される駆動電流を制御する駆動トランジスタとして機能」する「第１トランジスタＴ１」に印加するから、本願発明の「前記駆動トランジスタの閾値電圧及びデータ電圧を含む電圧を保持し、前記閾値電圧及び前記データ電圧を含むこの電圧を前記駆動トランジスタに印加するコンデンサ部」に相当する。
（５）引用発明の「第１トランジスタＴ１の第１電極とデータ線Ｄｍとの間に接続された第２トランジスタＴ２」、「第１トランジスタＴ１の第２電極とゲート電極との間に接続される第３トランジスタＴ３」、「第１トランジスタＴ１の第２電極と有機発光ダイオードＯＬＥＤとの間に接続された第４トランジスタＴ４」、「第１トランジスタＴ１のゲート電極が接続される第１ノードＮ１と初期化電源である第３電源ＶＩＮＴとの間に接続される第５トランジスタＴ５」、「第４トランジスタＴ４と第３電源ＶＩＮＴとの間に接続される第６トランジスタＴ６」及び「第１電源ＥＬＶＤＤと第１トランジスタＴ１の第１電極との間に接続される第７トランジスタＴ７」は、「第１期間ｔ１」ないし「第４期間ｔ４」の間にそれぞれ「ターンオン」又は「ターンオフ」されるから、いずれもオンオフされるスイッチである。そして、各トランジスタがオンオフされる結果、「第３期間ｔ３の間」に「第１ノードＮ１に伝達された」「データ信号と第１トランジスタＴ１のしきい値電圧の差電圧」が「ストレージキャパシタＣＳＴに格納され」る。
　したがって、引用発明の「第２トランジスタＴ２」ないし「第７トランジスタＴ７」からなる回路は、本願発明の「前記閾値電圧及び前記データ電圧を含む電圧を前記コンデンサ部に保持させるスイッチ部」に相当する。
（６）引用発明の「有機電界発光表示装置の画素」は、本願発明の「画素回路」に相当する。
（７）引用発明の「初期化電源である第３電源ＶＩＮＴ」は、本願発明の「基準電圧電源線」に相当する。
（８）引用発明の「第４トランジスタＴ４と第３電源ＶＩＮＴとの間に接続される第６トランジスタＴ６」は、「第１期間ｔ１の間」に「ターンオンされ」、「第１電源ＥＬＶＤＤから」「第６トランジスタＴ６を経由して第３電源ＶＩＮＴへの電流パスが形成され、電流が」「第６トランジスタＴ６側に迂回されて流れるようにすることで、有機発光ダイオードＯＬＥＤが発光することを防止」するから、本願発明の「前記駆動トランジスタから供給される電流を、前記発光素子を通さずに基準電圧電源線へ迂回させる電流迂回用トランジスタ」に相当する。
（９）引用発明が「第２トランジスタＴ２」ないし「第７トランジスタＴ７」を含み、その中の一つが「第６トランジスタＴ６」であることは、本願発明の「前記スイッチ部」が「電流迂回用トランジスタを有」することに相当する。
（１０）引用発明の「第３期間ｔ３の間」の動作、すなわち、「第１ノードＮ１にはデータ信号と第１トランジスタＴ１のしきい値電圧の差電圧が伝達され、第１ノードＮ１に伝達された電圧はストレージキャパシタＣＳＴに格納され」る動作は、本願発明の「前記閾値電圧及び前記データ電圧を含む電圧を前記コンデンサ部に保持させる」動作に相当する。
（１１）引用発明の「第３期間ｔ３の間」より前の「第１期間ｔ１の間」の動作、すなわち、「第６トランジスタＴ６がターンオンされ」、「第１電源ＥＬＶＤＤから」「第１トランジスタＴ１」「及び第６トランジスタＴ６を経由して第３電源ＶＩＮＴへの電流パスが形成され、電流が」「第６トランジスタＴ６側に迂回されて流れるようにする」動作は、本願発明の「前記閾値電圧及び前記データ電圧を含む電圧を前記コンデンサ部に保持させる前に、一定時間前記電流迂回用トランジスタを」「動作させ、前記駆動トランジスタをオンにし、前記駆動トランジスタから流れる電流を前記電流迂回用トランジスタを介して前記基準電圧電源線へ迂回させる」動作に相当する。
５　一致点及び相違点
　前記４の対比の結果をまとめると、本願発明と引用発明との一致点及び相違点は、以下のとおりである。
（１）一致点
「発光素子と、
　印加された電圧に応じた電流を前記発光素子へ供給する駆動トランジスタと、
　前記駆動トランジスタの閾値電圧及びデータ電圧を含む電圧を保持し、前記閾値電圧及び前記データ電圧を含むこの電圧を前記駆動トランジスタに印加するコンデンサ部と、
　前記閾値電圧及び前記データ電圧を含む電圧を前記コンデンサ部に保持させるスイッチ部と、
　を備えた画素回路において、
　前記スイッチ部は、前記駆動トランジスタから供給される電流を、前記発光素子を通さずに基準電圧電源線へ迂回させる電流迂回用トランジスタを有し、前記閾値電圧及び前記データ電圧を含む電圧を前記コンデンサ部に保持させる前に、一定時間前記電流迂回用トランジスタを動作させ、前記駆動トランジスタをオンにし、前記駆動トランジスタから流れる電流を前記電流迂回用トランジスタを介して前記基準電圧電源線へ迂回させる、
　ことを特徴とする画素回路。」
（２）相違点
　本願発明は、「電流迂回用トランジスタ」を「線形領域で」動作させるのに対し、引用発明は、「第４トランジスタＴ４と第３電源ＶＩＮＴとの間に接続される第６トランジスタＴ６」（本願発明の「電流迂回用トランジスタ」に相当する。）を線形領域で動作させるか明らかでない点。
６　相違点についての判断
　トランジスタにスイッチング動作を行わせるときに、トランジスタを線形領域で動作させることは、例えば引用文献７（前記３（２））に記載されているように、当業者に周知の事項である。
　引用発明の「第４トランジスタＴ４と第３電源ＶＩＮＴとの間に接続される第６トランジスタＴ６」は、「ターンオン」又は「ターンオフ」されるから、スイッチング動作をすることが明らかである。スイッチング動作をする「第６トランジスタＴ６」を線形領域で動作させることは、前記周知の事項をわきまえた当業者にとって自明のことにすぎない。そして、引用発明の「第６トランジスタＴ６」を線形領域で動作させることにより、引用発明が相違点に係る本願発明の構成を備えるようになることは明らかである。
　したがって、本願発明は、引用発明と当業者に周知の事項とに基づいて、当業者が容易に発明をすることができたものである。
７　むすび
　以上のとおりであるから、本願発明は、特許法第２９条第２項の規定により特許を受けることができない。
　したがって、他の請求項に係る発明について検討するまでもなく、本願は拒絶をするべきものである。
　よって、結論のとおり審決する。